(57)【要約】      （修正有）【課題】同じ曲の重複予約を防止するために、常に最新の予約状況を予約端末上で確認できるようになしたカラオケ演奏予約システムを提供する。【解決手段】カラオケ装置１は無線通信部３２とを備え、複数のカラオケ用リモコン装置１００から送信された演奏予約するためのカラオケ楽曲情報を受信し、予約状況情報を作成し、前記予約状況情報を前記リモコン装置に送信し、最新予約状況を前記リモコン装置に表示する。これによって同じ曲の重複予約を予防する。【選択図】図１
2005275308.tif 000002
【特許請求の範囲】
【請求項１】
演奏予約されたカラオケ楽曲情報に基づいてカラオケ演奏をおこなうように構成されたカラオケ装置と前記演奏予約するためのカラオケ楽曲情報をカラオケ装置に送信する通信機能を備えたカラオケ用リモコン装置からなるカラオケ演奏予約システムであって、
カラオケ装置は、前記カラオケ用リモコン装置から送信された演奏予約するためのカラオケ楽曲情報を受信する受信手段と、
前記演奏予約するためのカラオケ楽曲情報を記憶する記憶手段と、
前記演奏予約するためのカラオケ楽曲情報に基づいて、カラオケ装置に記憶されたカラオケ楽曲の予約状況情報を作成する予約状況情報作成手段と、
前記作成した予約状況情報をリモコン装置に送信する送信手段とを備え、
前記カラオケ用リモコン装置は、リモコン装置に前記演奏予約するためのカラオケ楽曲情報を送信するための送信手段と、
前記カラオケ装置から送信された予約状況情報を受信する受信手段と、
前記受信した予約状況情報を表示する表示手段とを備え、
カラオケ装置は、演奏予約が行われると、演奏の予約状況情報をカラオケ用リモコン装置に送信し、カラオケ用リモコン装置は、受信した予約状況情報に基づいて、カラオケ装置の予約状況を表示することを特徴とするカラオケ演奏予約システム。
【請求項２】
請求項１に記載のカラオケ演奏予約システムにおいて、
前記リモコン装置は、前記予約状況情報をカラオケ装置から受信した際に、リモコン装置が使用されていた場合は、予約状況情報が更新されたことを示す情報を表示することを特徴とするカラオケ演奏予約システム。
【請求項３】
前記請求項１ないし請求項２のいずれかに記載のカラオケ演奏予約システムに用いられるカラオケ用リモコン装置。
【発明の詳細な説明】
【技術分野】
【０００１】
本発明は、カラオケ演奏予約システムに係り、更に詳しくは、カラオケ装置と該カラオケ装置との双方向通信機能を備えたカラオケ用リモコン装置とからなり、リモコン装置から演奏予約されたカラオケ楽曲情報に基づいてカラオケ演奏をおこなうものに関する。
【背景技術】
【０００２】
従来、この種のカラオケ装置においては、歌い手が任意に選曲したカラオケ楽曲を複数曲予約登録し、その予約登録の順序に従って、カラオケ楽曲を演奏するように構成されたカラオケ装置は周知である。
【０００３】
そして、上記のカラオケ装置において、歌い手が所望のカラオケ楽曲を選曲した場合、既に予約登録されたカラオケ楽曲中に選曲されたカラオケ楽曲と同一の楽曲が存在する場合に、警告を発して重複した予約を防止するための工夫がなされたカラオケ装置が知られている（特許文献１参照）。
【特許文献１】特開平10-69286号公報
【発明の開示】
【発明が解決しようとする課題】
【０００４】
しかしながら、従来のカラオケ装置では、警告はカラオケ装置の表示画面に表示されるため、歌詞や背景映像を表示中の画面上に警告情報を表示することになり、歌唱の妨げになるばかりか、例えばカラオケスナックなど、見ず知らずの者が多数集まる場所では、その雰囲気が壊れてしまうばかりでなく、歌唱者が怒って、客同士が気まずくなり、そのことが原因で喧嘩などに発展するという問題点があった。  
【０００５】
そこで、本出願人は、カラオケ楽曲の予約時に、リモコン装置からカラオケ装置に選曲したカラオケ楽曲と同一の楽曲が予約登録する際に、予約をしようとしている楽曲と同じ楽曲が既に予約されている場合に、その旨をリモコン装置に表示することができるカラオケ演奏予約システムを開発しているが、予約をしようとしている人が同じ楽曲を予約されていないことを確認して予約の操作を行っている間に、他の人が同じ楽曲を予約してしまう場合があるという問題があることがわかった。
【０００６】
本発明はこのような問題に鑑みなされたものであり、常に最新の予約状況を確認できるようになしたカラオケ演奏予約システムを提供することを目的とする。
【課題を解決するための手段】
【０００７】
請求項１に係る本発明のカラオケ演奏予約システム１０００は、上記の目的を達成する為に、演奏予約されたカラオケ楽曲情報（選曲予約情報Ｒ。例えば、曲番号Ａ−０１００）に基づいてカラオケ演奏をおこなうように構成されたカラオケ装置１と前記演奏予約するためのカラオケ楽曲情報をカラオケ装置１に送信する通信機能を備えたカラオケ用リモコン装置１００からなるカラオケ演奏予約システム１０００であって、カラオケ装置１は、前記カラオケ用リモコン装置１００から送信された演奏予約するためのカラオケ楽曲情報を受信する受信手段（無線通信部３２）と、前記演奏予約するためのカラオケ楽曲情報を記憶する記憶手段（演奏曲情報記憶部１０）と、前記演奏予約するためのカラオケ楽曲情報に基づいて、カラオケ装置に記憶されたカラオケ楽曲の予約状況情報を作成する予約状況情報作成手段（ＣＰＵ部２）と、前記作成した予約状況情報をリモコン装置に送信する送信手段（無線通信部３２）とを備え、前記カラオケ用リモコン装置１００は、前記カラオケ装置１に前記演奏予約するためのカラオケ楽曲情報を送信する送信手段（無線通信部１１０）と、前記カラオケ装置１から送信された予約状況情報を受信する受信手段（無線通信部１１０）と、前記受信した予約状況情報を表示する表示手段（表示部１４０）とを備え、カラオケ装置１は、演奏予約が行われると、演奏の予約状況情報をカラオケ用リモコン装置に送信し、カラオケ用リモコン装置１００は、受信した予約状況情報に基づいて、カラオケ装置１の予約状況を表示することを特徴とする。
【０００８】
請求項２に係る本発明のカラオケ演奏予約システム１０００は、上記の目的を達成する為に、請求項１に記載のカラオケ演奏予約システムにおいて、前記リモコン装置１００は、前記予約状況情報をカラオケ装置１から受信した際に、リモコン装置が使用されていた場合は、予約状況情報が更新されたことを示す情報（予約状況更新マーク）を表示することを特徴とする。
【０００９】
請求項３に係る本発明のカラオケ用リモコン装置１００は、上記の目的を達成する為に、前記請求項１ないし請求項２のいずれかに記載のカラオケ演奏予約システム１０００に用いられるカラオケ用リモコン装置１００である。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明に係るカラオケ演奏予約システムによれば、リモコン装置からカラオケ楽曲の予約をする際に、歌い手が予約しようとしたカラオケ楽曲の予約状況をリモコン装置の表示画面で確認できると共に、一旦、確認した後も、常に最新の予約状況を表示することができる。
【発明を実施するための最良の形態】
【００１２】
以下、この発明の実施の形態を説明する。
【実施例１】
【００１３】
つぎに、本発明の実施の形態を、図面と共に詳細に説明する。
【００１４】
図１は、本発明に係るカラオケ演奏予約システムの構成を示すブロック図であって、通信カラオケ装置に適用した場合の基本構成を示している。
【００１５】
１は通信カラオケ装置を示している。２は、ＣＰＵ部であり、カラオケ装置１の全体を制御するものであって、マイクロプロセッサの他に、カラオケ装置１を起動するプログラムを格納するためのＲＯＭ２ａ及び制御に必要な複数のフラグ領域を有しデータ等を一時的に格納するＲＡＭ２ｂなどで構成されており、各種の入出力装置の制御、メモリー管理及びデータ処理などを行う。
【００１６】
４は操作部であり、カラオケ装置１の各種状態を設定する各種キー、スイッチで構成される。
【００１７】
６は表示部であり、カラオケ装置１の各種状態を設定する為に必要な情報を操作者に表示（例えば、警告表示）するＬＣＤやＬＥＤなどで構成される。
【００１８】
８は主記憶装置であり、ハードディスク、半導体メモリー、ＣＤ−ＲＯＭ、ＤＶＤ−ＲＯＭやＤＶＤ−ＲＡＭなど書き換え可能な記憶媒体及び読み取り専用の記憶媒体で構成され、楽曲演奏の予約状況の確認／報知プログラム等の各種制御プログラム、背景映像データ、ＣＰＵ部の制御の下に、モデム１４で取り込んだ音楽データを格納する。また、この主記憶装置８の管理情報記憶部には、記憶した音楽データを管理する為に必要な情報が管理テーブルとして記憶されており、楽曲毎に、楽曲番号、格納された日付（年月日）及び格納以降の選曲回数を示す情報などを記憶している。
【００１９】
通常、音楽データは、主記憶装置８の記憶容量を極力減らさない為に、データ圧縮された状態で格納されている。また、この音楽データは、カラオケ装置１の使用者のリクエストによって取り込まれるだけでなく、夜間などのカラオケ装置１の使用頻度の少ない時間帯に自動的に取り込まれる。
【００２０】
１０は、演奏曲情報記憶部であり、一般的には半導体メモリーなどの書き換え及び高速アクセス可能な記憶媒体で構成され、ＣＰＵ部の制御の下に、リモコン装置１００から受信した演奏予約するカラオケ楽曲を指定する情報に加え、該演奏予約したリモコン装置１００ａ,１００ｂ，・・・，を識別する識別情報、演奏予約されたカラオケ楽曲が演奏されたか否かを示す情報、カラオケ楽曲が所定曲数以内に演奏されたか否かを示す情報及びカラオケ楽曲が所定時間以内に演奏されたか否かを示す情報等を記憶する。
【００２１】
１２は、演奏データ記憶部であり、一般的にはハードディスクや半導体メモリーなどの書き換え及び高速アクセス可能な記憶媒体で構成され、ＣＰＵ部２の制御の下に、主記憶装置８から読み出された音楽データをデータ解凍した状態で記憶する。
【００２２】
１６は、外部映像再生装置であり、広く普及しているＶＴＲ、ビデオＣＤプレーヤ、ＬＤプレーヤ、また最近では、ＭＰＥＧ（Ｍｏｖｉｎｇ  Ｐｉｃｔｕｒｅ  Ｅｌｅｍｅｎｔ  Ｇｒｏｕｐ）プレーヤやＤＶＤ（Ｄｉｇｉｔａｌ  Ｖｉｄｅｏ  Ｄｉｓｋ）プレーヤなどであって、ＣＰＵ部２の制御の下に、記録媒体であるビデオテープや各種ディスクに記録されている映像データから映像信号を再生して出力する。
【００２３】
１４は、モデムであり、ネットワーク（電話回線などのアナログ通信回線やＡＤＳＬや光回線などのデジタル通信回線）を経由してホストコンピュータから送信される音楽データをコンピュータで利用可能な信号に変換する。この音楽データは、カラオケ楽曲を再生するために必要なデータであって制御データ及び演奏データで構成される。制御データは、例えば、文字情報、色替情報及びジャンル情報などからなる演奏曲の歌詞を示す歌詞映像データ、カラオケ楽曲のコーラスの開始クロック数や終了クロック数などを示す情報で構成され、また演奏データは、ＭＩＤＩ規格に基づいてコード化されたＭＩＤＩデータである演奏音楽データで構成される。
【００２４】
１８は、スーパーインポーズ部であり、ＣＰＵ部２によって、演奏データ記憶部１４に格納された音楽データを検索して得られた歌詞映像データ内の文字情報や色替情報などが供給される。また、スーパーインポーズ部１８は、ＣＰＵ部２の指示によって主記憶部８に格納された背景映像データを再生することで供給される背景映像信号、または、外部映像再生装置１６から供給される背景映像信号に、演奏される曲の歌詞を示す歌詞映像データに基づいた歌詞映像を合成して、後述する映像表示部２０に出力する。
【００２５】
２０は、映像表示部であり、最近広く普及しているワイドＴＶやモニターＴＶなどの複数の映像を複数のウインドウに同時に表示可能な表示装置である。また、映像表示部２０は、複数の映像表示装置１〜Ｎで構成されており、各映像表示装置は、スーパーインポーズ部１８から入力される映像信号に基づいた映像を同時に表示する。
２４は、ＭＩＤＩ音源部であり、ＣＰＵ部２によって、演奏データ記憶部１４に格納された音楽データ中のＭＩＤＩデータが供給され、このＭＩＤＩデータを電子楽器の機能によって演奏音楽信号として出力する。
【００２６】
２６は、ミキサ／アンプ部であり、ＭＩＤＩ音源部２４から出力された演奏音楽信号と、マイク２８によって取り込まれた歌い手の歌声の信号とを合成及び増幅してスピーカ３０に出力することによって、演奏音楽及び歌い手の歌声を可聴音として再生する。
【００２７】
３２はリモコン装置１００ａ，１００ｂ，・・・と無線通信を行う無線通信部であり、無線通信方式として本実施例では、ブルートゥース（Bluetooth）の技術を採用している。
【００２８】
１００ａ，１００ｂ，１００ｃ，・・・は、カラオケ用リモコン装置であり、図２のブロック構成図に示したように、前記カラオケ装置１の無線通信部３２と双方向通信を行うための無線通信部１１０を備えており、無線通信方式として本実施例では、ブルートゥース（Bluetooth）の技術を採用している。
【００２９】
１２０は操作部であり、カラオケ楽曲の検索操作入力や、カラオケ演奏予約指示，演奏予約取消指示などの各種操作情報を入力するためのキー入力が可能である。
【００３０】
１３０はＣＰＵ部であり、リモコン装置１００の全体を制御するものであって、マイクロプロセッサの他に、カラオケ楽曲の演奏予約プログラム等の各種制御プログラムやリモコン装置固有の識別情報を格納するためのＲＯＭ１３０ａ及び制御に必要な複数のフラグ領域を有しデータ等を一時的に格納するＲＡＭ１３０ｂなどで構成されており、各種の入出力装置の制御、メモリー管理及びデータ処理などを行う。
【００３１】
１４０はＬＣＤ等からなる表示部であり、カラオケ楽曲情報、各種指示情報、演奏予約が重なった場合の警告情報などを表示する。
【００３２】
つぎに、上述のように構成された本発明に係るカラオケ装置１とリモコン装置１００からなるカラオケ演奏予約システム１０００の動作を図３のフローチャートを参照しながら、演奏予約状況情報表示動作について説明する。
【００３３】
（１）演奏予約状況情報表示動作：
操作者が、リモコン装置１００を使用して、例えば表示部１４０に表示される情報を見ながら、操作部１２０のキーを操作して演奏する曲の曲番号を入力することによって選曲を行い、その選曲予約指示を行うと（ステップ１０１、以下、ステップをＳと略記する。図面において同じ。）、ＣＰＵ部１３０は、前記選曲予約指示に基づいて、選曲予約情報Ｒとして、前記選曲した曲番号をリモコン装置１００の識別情報ＩＤと共に、無線通信部１１０からカラオケ装置１に送信する（Ｓ１０２）。
【００３４】
カラオケ装置１は、前記選曲予約情報Ｒを受信すると（Ｓ１）、受信した演奏曲の曲番号データとリモコン装置１００の識別情報ＩＤをＲＡＭ２ｂに一時的に記憶する（Ｓ２）。
【００３５】
そして、ＣＰＵ部２は、その演奏曲の曲番号データに、ＲＡＭ２ｂに記憶している次の予約曲に付与すべきカラオケ楽曲の予約番号データ、カラオケ楽曲の予約時間データ及びカラオケ楽曲が演奏されたか否かを示す演奏完了データを付加して、演奏曲情報記憶部１０に記憶する（Ｓ３）。
【００３６】
図４は、ＣＰＵ部２が演奏曲情報記憶部１０に記憶させる演奏曲管理データの概念図である。
【００３７】
ＣＰＵ部２は、例えば入力された演奏曲の曲番号データが”Ａ−０１００”、リモコン装置の識別情報ＩＤが”１００ａ”であり、ＲＡＭ２ｂに記憶している予約番号データが最初に予約されたものから１００曲目であることを意味する”１００”であれば、予約時間データとしてタイマーから読み取った予約時間である”１３時４０分”及び演奏完了データとしてカラオケ楽曲が演奏されていない旨を示す”Ｎｏ”を作成し、演奏曲管理データとする。
【００３８】
図５は、演奏曲情報記憶部１０が記憶する演奏曲管理テーブルの概念図である。図５（Ａ）は、上記演奏曲管理データを登録する前の状態、図５（Ｂ）は、上記演奏曲管理データを登録した後の状態を示している。
【００３９】
図５（Ａ）の演奏曲管理テーブルは、曲番号がＡ−０００１〜Ａ−００９９までの９９曲が予約番号の示す順序で予約時間が示す時間に登録され、Ａ−０００１〜Ａ−００９６までの９６曲が既に演奏を完了し、Ａ−００９７〜Ａ−００９９までの３曲が演奏待機中であるという内容を意味する。また、識別情報ＩＤ”１００ａ”は、リモコン装置１００ａから演奏予約されたことを示し、識別情報ＩＤ”１００ｂ”は、リモコン装置１００ｂから演奏予約されたことを示し、識別情報ＩＤ”１００ｃ”はリモコン装置１００ｃから演奏予約されたことを示している。
【００４０】
ＣＰＵ部は、図５（Ａ）で示す演奏曲管理テーブルに、上記の演奏曲管理データを登録すると、演奏曲管理テーブルは図５（Ｂ）で示す状態となり、この演奏曲管理テーブルは、Ａ−００９７〜Ａ−０１００までの４曲が演奏待機中であるという内容を意味する。
【００４１】
但し、ＣＰＵ部は、演奏曲管理データを登録する際に、どの予約登録モードに従って入力されたかによって演奏曲を登録するか否かを判断する（Ｓ４）。
【００４２】
予約登録モードとは、演奏曲を登録する条件を与える登録モードであり、予約番号モード、予約時間モード及び演奏完了モードの３つがある。
【００４３】
予約番号モードとは、予約番号データに基づいて、過去に登録された所定の曲数内で同一の曲が存在するか否かを判断する。ただし、この所定の曲数を与えるデータは、装置の使用者が操作部４を操作して入力したり、主記憶部８内にデフォルト値として記憶している。
【００４４】
例えば、所定の曲数を与えるデータが”１０曲”であれば、ＣＰＵ部は、予約番号が”９０〜９９”の１０曲内に同一の曲が存在するか否かを判断する（Ｓ５）。ここで、ＣＰＵ部は、同一の曲が存在しなければ、その曲を演奏曲管理テーブルに登録する（Ｓ６）（図５（Ｂ）参照）。
【００４５】
そして、前記演奏曲管理テーブルに登録された情報を予約状況情報として、各リモコン装置１００ａ，ｂ，ｃに送信する（Ｓ７）。尚、リモコン装置１００に送信する予約状況情報は、演奏曲管理テーブルに登録された情報全てでもよいが、未演奏の曲、過去の所定曲（例えば、１０曲）、又は、過去の所定時間（例えば、３０分間）に演奏された曲を抽出して、予約状況情報として送信してもよい。
【００４６】
また、Ｓ５で、過去の所定曲内に同一の曲が存在すると判断した場合は、その曲を登録することなく一時保留にして（Ｓ８）、その旨を示す警告情報Ｗをリモコン装置１００へ送信する（Ｓ９）。尚、この場合の警告情報Ｗには、演奏予約された１０曲内に同一の曲が存在する旨、演奏予約したリモコン装置の識別情報ＩＤが含まれる。
【００４７】
リモコン装置１００は、予約状況情報を受信すると（Ｓ１１０）、ＲＡＭ１３０ｂに該受信した予約状況情報を記憶する（Ｓ１１２）。前記記憶により予約状況情報Ｒが上書き記憶されて、予約状況情報が更新される。
【００４８】
ユーザがリモコン装置１００を楽曲検索操作等で使用中でなければ（Ｓ１１４）、前記記憶した予約状況情報が表示部１４０に表示される（Ｓ１２０）。もし、リモコン装置１００が使用中であれば（Ｓ１１４）、表示部１４０に予約状況更新マークが表示される（Ｓ１１６）。ユーザは予約状況更新マークが表示されたことで、リモコン装置１００をリクエスト操作などのために使用中であっても、予約状況情報が更新されたことを知ることができる。そして、ユーザが予約状況情報の表示を指示すると（Ｓ１１８）、予約状況情報が表示部１４０に表示される（Ｓ１２０）。
【００４９】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００５０】
【図１】本発明に係るカラオケ演奏予約システムのシステム構成を示すブロック図である。
【図２】本発明に係るカラオケ用リモコン装置の構成を示すブロック図である。
【図３】本発明に係るカラオケ演奏予約システムの動作フローチャートである。
【図４】演奏曲情報記憶部１０に記憶させる演奏曲管理データの概念図である。
【図５】演奏曲情報記憶部１０が記憶する演奏曲管理テーブルの概念図である。
【符号の説明】
【００５１】
１      カラオケ装置
２      ＣＰＵ部
２ａ    ＲＯＭ
２ｂ    ＲＡＭ
４      操作部
６      表示部
８      主記憶装置
１０      演奏曲情報記憶部
１２      演奏データ記憶部
１４      モデム
１６      外部映像再生装置
１８      スーパーインポーズ部
２０      映像表示部
２４      ＭＩＤＩ音源部
２６      ミキサ／アンプ部
３０      スピーカ
３２      無線通信部
１０００  カラオケ演奏予約システム
１００    カラオケ用リモコン装置
１１０    無線通信部
１２０    操作部
１３０    ＣＰＵ部
１４０    表示部
【図１】
2005275308.tif 000003
【図２】
2005275308.tif 000004
【図３】
2005275308.tif 000005
【図４】
2005275308.tif 000006
【図５】
2005275308.tif 000007